(57)【要約】【課題】  漏水検知回路をマイコンを使用せずにハードの回路にて構成しつつ、漏水を確実に検出することができる漏水検知回路を提供すること。【解決手段】  漏水検知装置１００は、発振回路２３から発生したパルス信号から微分回路により直流成分を除去し正負交番電圧を出力する信号発生回路Ａと、等価抵抗１０２へ漏れた液体がかかった際には信号発生回路Ａからの前記正負交番電圧の振幅を変化させると共にコンデンサにより正電圧にシフトし出力側電圧が変化（上昇）する漏水検出回路Ｂと、この漏水検出回路Ｂからの出力電圧を入力し積分回路２８により直流電圧に変換された出力電圧の変化（上昇）に基づいて漏水を判定する判定回路Ｃとを備える。【選択図】  図１
2006084175.tif 000002
【特許請求の範囲】
【請求項１】
発振回路から発生したパルス信号から微分回路により直流成分を除去し正負交番電圧を出力する信号発生回路と、漏水検知センサへ漏れた液体がかかった際には前記信号発生回路から入力する前記正負交番電圧の振幅を変化させると共にコンデンサにより正電圧にシフトし出力側電圧が変化する漏水検出回路と、この漏水検出回路からの出力電圧を入力し積分回路により直流電圧に変換された出力電圧の変化に基づいて漏水を判定する判定回路とを備えたことを特徴とする漏水検知回路。
【請求項２】
開閉弁を介して供給される水道水を使用して衣料を洗濯する洗濯機において、発振回路から発生したパルス信号から微分回路により直流成分を除去し正負交番電圧を出力する信号発生回路と、漏水検知センサへ漏れた液体がかかった際には前記信号発生回路から入力する前記正負交番電圧の振幅を変化させると共にコンデンサにより正電圧にシフトし出力側電圧が変化する漏水検出回路と、この漏水検出回路からの出力電圧を入力し積分回路により直流電圧に変換された出力電圧の変化に基づいて漏水を判定する判定回路と、この判定回路からの出力信号に基づいて前記開閉弁を閉じる信号を出力する出力回路とから成る漏水検知回路を備えたことを特徴とする洗濯機。
【請求項３】
前記出力回路に報知装置を接続し、漏水発生時に前記出力回路から前記報知装置の動作信号を出力することを特徴とする請求項２に記載の洗濯機。
【請求項４】
前記漏水検知センサをシート状の等価抵抗により構成したことを特徴とする請求項２に記載の洗濯機。
【発明の詳細な説明】
【技術分野】
【０００１】
この発明は、液体の接触を検知して漏水を検知する漏水検知回路及び漏水検知回路を備えた洗濯機に関するものである。
【背景技術】
【０００２】
従来、高層マンションが多く建設され、マンションの各戸に設けられた水道水を使用する洗濯機、食器洗い機などの電気機器からの漏水、建物への浸水などによる漏水が発生すると、水漏れにより階下へ被害を及ぼす。このような漏水による被害を回避するために、例えば洗濯機置き場に、従来水漏れ防止用のドレンパンなどが施工されていたが、施工のコスト、スペースの確保、見栄えの低下、撤去する際の廃棄物の処分などの問題から、水漏れ防止の施工が省略されている。このため、漏水を直接検知し、例えば離れた場所への漏水の報知、漏水が発生した電気機器への電力供給の停止、或いは電気機器への給水の停止などを自動的に行うようにした漏水検知報知システムが提案されている。
【０００３】
ここで、漏水検知報知システムは、例えば特許文献１に開示されており、電源コンセントに接続可能にした漏水検知回路であるメインコントローラに信号判定手段、制御出力手段などを設け、信号判定手段に漏水検知センサを接続し、制御出力手段に電気機器への給水を停止するための電磁バルブ、報知器としてのブザー及び表示器としてのランプを接続している。そして、漏水検知センサの絶縁された二つの電気導体の隙間に水が入ることによる電位抵抗の変化を信号判定手段に送り、信号判定手段が漏水有りと判定した場合には、制御出力手段により電磁バルブを閉じ、ブザーに通電して鳴らすと共にランプを点滅し、漏水を最小限に抑えると共に漏水の発生を報知する。
【特許文献１】特開２０００−１５５０６５号公報
【発明の開示】
【発明が解決しようとする課題】
【０００４】
しかしながら、従来の漏水検知報知システムの漏水検知回路は、例えば図６に示したように構成されている。具体的には、漏水検知回路はアナログの回路にて構成され、直流電力が供給され設定された電圧の電力を出力する商用のトランス５１、このトランス５１の第１の２次巻線５２から整流回路５３を介して電力が供給される電圧レベル判定及び操作信号出力回路５４、トランス５１の第２の２次巻線５５から電流制限用抵抗５６及びツェナーダイオード５７、５８、漏水検知部５９に設けられ前記電流制限用抵抗５６を介して電流が流れる漏水検知用の導体６０、この導体６０の途中に設けられた断線検出用の終端抵抗６１、整流用のダイオード６２、平滑用のコンデンサ６３を接続して構成されている。
【０００５】
そして、Ｖ１０は商用電源の電圧、Ｖ１１は第２の２次巻線５５の交流波形である出力電圧、Ｖ１２はツェナーダイオード５７、５８で決定される導体６０間の電圧、即ち漏水検知電圧であり、導体６０間を水などの導電体が橋渡しすると漏水検知部５９のインピーダンスが変化し、漏水検知電圧Ｖ１２が低下し、電圧レベル判定及び操作信号出力回路５４の入力電圧Ｖ１３も低下する。
【０００６】
そして、入力電圧Ｖ１３が低下し、予め設定されたしきい値に達すると、電圧レベル判定及び操作信号出力回路５４は漏水が発生したと判断し、図示しないブザー、ＬＥＤなどへの動作信号を出力し、ブザーが発音すると共にＬＥＤが点灯或いは点滅し、電気機器、例えば洗濯機の使用者に漏水の発生を知らせる。
【０００７】
しかし、上記のように構成された漏水検知回路では、漏水検知電圧Ｖ１２には平衡のとれた交流電流が必要であり、平衡を保ち漏水を正確に検出することが難しいという問題が発生する。
【０００８】
この発明は、上記したような問題を解消するためになされたもので、漏水検知回路をマイコン（マイクロコンピュータ）を使用せずにハードの回路にて構成しつつ、漏水を確実に検出することができる漏水検知回路及び漏水検知回路を備えた洗濯機を提供するものである。
【課題を解決するための手段】
【０００９】
このために第１の発明は、発振回路から発生したパルス信号から微分回路により直流成分を除去し正負交番電圧を出力する信号発生回路と、漏水検知センサへ漏れた液体がかかった際には前記信号発生回路から入力する前記正負交番電圧の振幅を変化させると共にコンデンサにより正電圧にシフトし出力側電圧が変化する漏水検出回路と、この漏水検出回路からの出力電圧を入力し積分回路により直流電圧に変換された出力電圧の変化に基づいて漏水を判定する判定回路とを備えたことを特徴とする。
【００１０】
第２の発明は、開閉弁を介して供給される水道水を使用して衣料を洗濯する洗濯機において、発振回路から発生したパルス信号から微分回路により直流成分を除去し正負交番電圧を出力する信号発生回路と、漏水検知センサへ漏れた液体がかかった際には前記信号発生回路から入力する前記正負交番電圧の振幅を変化させると共にコンデンサにより正電圧にシフトし出力側電圧が変化する漏水検出回路と、この漏水検出回路からの出力電圧を入力し積分回路により直流電圧に変換された出力電圧の変化に基づいて漏水を判定する判定回路と、この判定回路からの出力信号に基づいて前記開閉弁を閉じる信号を出力する出力回路とから成る漏水検知回路を備えたことを特徴とする。
【００１１】
第３の発明は、第２の発明に係る洗濯機において、前記出力回路に報知装置を接続し、漏水発生時に前記出力回路から前記報知装置の動作信号を出力することを特徴とする。
【００１２】
第４の発明は、第２の発明に係る洗濯機において、前記漏水検知センサをシート状の等価抵抗により構成したことを特徴とする。
【発明の効果】
【００１３】
以上のように本発明によれば、漏水検知回路により漏水を確実に且つ速やかに検知することができる。また、正負交番電圧の振幅を変化させると共にコンデンサにより正電圧にシフトし出力側電圧が変化する漏水検出回路とこの漏水検出回路からの出力電圧を入力し積分回路により直流電圧に変換された出力電圧の変化に基づいて漏水を判定する判定回路との組み合わせにより、漏水の検出を確実にすると共に誤動作を回避することもできる。更に、洗濯機の漏水を確実に且つ速やかに検出し、漏水を最小限に抑えることができる。
【発明を実施するための最良の形態】
【００１４】
以下、この発明の実施形態を図に基づいて説明する。図１はこの発明の一実施形態である漏水検知回路図、図２は漏水検知器１及び漏水検知器１を接続した洗濯機の正面図、図３は漏水検知器１の正面図、図４は漏水検知器１の底面図、図５は漏水検知器１の概略縦断面図である。
【００１５】
特に図２乃至図５において、漏水検知器１のボックス２の前面には、表示・操作部３が設けられ、この表示・操作部３には電源供給表示部４、漏水及び短絡の発生表示部５、ブザー停止ボタン６、復帰ボタン７及びテストボタン８が設けられている。また、漏水検知器１の下部には電力供給用のコンセント１０が設けられると共に、下部からは先端にプラグ１１が設けられた電源コード１２が延びている。そして、コンセント１０に衣料を洗濯するための電気洗濯機１３の電源コード１４のプラグ１５が接続されている。また、ボックス２の内部には、後述する漏水検知装置１００を備えたプリント基板１６が収納されている。
【００１６】
また、図２において、１７は電気洗濯機１３の前面に設けられた衣料投入、取出し用の開口を開閉自在に閉塞するドアである。さらに、１８は電気洗濯機１３の運転状態などを表示する液晶表示部、１９ａは電源スイッチ、１９ｂは洗濯所要時間、脱水所要時間などを設定する設定部、１９ｃは洗濯のコースを設定する設定部である。
【００１７】
以下、漏水を検知する漏水検知装置１００について、図１に基づいて詳細に説明する。漏水検知装置１００は信号発生回路Ａ、後述する漏水センサ部２５を有した漏水検出回路Ｂ、判定回路Ｃ、動作表示回路Ｄ、リレー動作回路Ｅ、ブザー動作回路Ｆ、電源供給状態表示回路Ｇとを備えており、各回路は電源回路Ｈから直流電力が供給される。
【００１８】
前記信号発生回路Ａは、２段のインバータ２１、２２、抵抗Ｒ１、Ｒ２及びコンデンサＣ１から構成されるインバータ発振回路２３と、抵抗Ｒ３及びコンデンサＣ２から構成されて直流成分を除去する微分回路２４とを備え、正負交番電圧を出力するものである。
【００１９】
また、前記漏水検出回路Ｂは、漏水センサ部２５を備え、後述する電力供給ライン４６から直流電力が供給され、漏水テスト用の抵抗（以下、「テスト用抵抗」という。）１０１と前記テストボタン８の操作により切り替わるテストスイッチ２６との直列回路及び漏水センサ部２５の漏水検知センサの回路である複数の抵抗を並列に接続した等価抵抗１０２、コンデンサＣ３、Ｃ４、抵抗Ｒ４、インバータ２７、帰還抵抗Ｒ５、抵抗Ｒ６、インバータ２９、帰還抵抗Ｒ７などから構成されている。そして、テストスイッチ２６は漏水が発生したときに漏水検知装置１００が正しく動作するか、故障などが発生していないか試すときに操作されるスイッチである。また、漏水センサ部２５の等価抵抗１０２は例えばビニールなどのシート１０３中に埋設され、外観形状がシート状に形成され、前記電気洗濯機１３の下方に敷かれる。従って、従来は洗濯機置き場に、水漏れ防止用のドレンパンなどが施工されていたが、施工のコスト、スペースの確保、見栄えの低下、撤去する際の廃棄物の処分などの問題から水漏れ防止の施工が省略されても、漏水が発生した際には漏水を漏水検出回路Ｂにより直接検知でき、後述するように、離れた場所への漏水の報知、漏水が発生した電気洗濯機１３への電力供給の停止、或いは電気機器への給水の停止などを自動的に行うことが可能となる。テスト用抵抗１０１の抵抗値は漏水の発生時、即ち、等価抵抗１０２に漏水の水がかかったときの等価抵抗１０２のインピーダンスとほぼ等しい。更に、１０４は漏水センサ部２５の接続端子である。
【００２０】
また、前記判定回路Ｃは、抵抗Ｒ８及びコンデンサＣ５から構成される積分回路２８と、２段のインバータ３０、３１と、抵抗Ｒ９、Ｒ１０と、及び復帰ボタン７の操作により切り替わるリセットスイッチ３２などから構成されている。
【００２１】
また、前記動作表示回路Ｄは、抵抗Ｒ１１、Ｒ１２と、前記判定回路Ｃに抵抗Ｒ１１を介してベースが接続されると共にコレクタが抵抗Ｒ１３と発光素子である漏水及び短絡の発生表示部５を点灯表示する第１のＬＥＤ３３との直列回路を介して電力供給ライン４６に接続されたＮＰＮ型トランジスタ（以下、「第１のトランジスタ」という。）３４とから構成されている。
【００２２】
また、前記リレー動作回路Ｅは、抵抗Ｒ１４、Ｒ１５と、前記判定回路Ｃに抵抗１４を介してベースが接続されると共にエミッタが電力供給ライン４６に接続されたＰＮＰ型トランジスタ（以下、「第２のトランジスタ」という。）３５と、この第２のトランジスタ３５のコレクタが接続されたリレー回路３６などから構成されている。
【００２３】
また、前記ブザー動作回路Ｆは、前記判定回路Ｃに接続された第１、第２のナンド回路３７、３８と、抵抗Ｒ１６、Ｒ１７と、第１のナンド回路３７に抵抗Ｒ１６を介してベースが接続されると共にエミッタが電力供給ライン４６に接続されたＰＮＰ型トランジスタ（以下、「第３のトランジスタ」という。）３９と、この第３のトランジスタ３９のコレクタに接続されたブザー４０と、第２のナンド回路３８に接続された第３のナンド回路４１と、電力供給ライン４６に接続されると共に第３のナンド回路４１に接続された抵抗Ｒ１８及びブザー停止スイッチ４２などから構成されている。
【００２４】
そして、前記ブザー４０への通電後にこのブザー４０の発音を停止させたいときには、前記ブザー停止ボタン６を操作することによりブザー停止スイッチ４２が切り替わり、強制的にブザー４０の発音を停止させることができる。
【００２５】
更に、電源供給状態表示回路Ｇは、電力供給ライン４６に接続された発光素子である第２のＬＥＤ４３及び抵抗Ｒ１９から構成されている。また、ブザー４０及び第１のＬＥＤ３３は漏水の発生を報知する報知装置を構成するが、視覚や聴覚により認識できる報知装置であれば、これらに限られないものである。
【００２６】
また、電源回路Ｈは一次側が商用電源に接続されたトランス４４、整流回路４５などから構成され、４６は電力供給ラインである。
【００２７】
次に、上記漏水検知装置１００の動作について説明する。先ず、電気洗濯機１３の使用者がプラグ１１を家庭用の商用電源のコンセント（図示せず）に接続すると、漏水検知装置１００は電源回路Ｈから電力供給ライン４６を介して電力が供給され、電源供給状態表示回路Ｇの第２のＬＥＤ４３が点灯して電源供給表示部４が点灯表示する。また、漏水検出回路Ｂを介して判定回路Ｃの出力電圧は低い状態に維持され、即ち判定回路Ｃからは低レベルの信号が出力され、第１のトランジスタ３４はオフであり、第１のＬＥＤ３３は通電されず消灯状態であり、漏水及び短絡の発生表示部５は消灯表示している。
【００２８】
また、第２のトランジスタ３５はオンしており、リレー回路３６は通電状態であり励磁しており、電気洗濯機１３の給水管の上流側及び排水管の上流側に設けられた電磁弁などの開閉弁（図示せず）は開いている。また、ブザー動作回路Ｆにおいては、第１のナンド回路３７が高レベル信号を出力し、第３のトランジスタ３９がオフしており、ブザー４０は非通電状態であり、発音を停止している（発音していない）。
【００２９】
そして、電気洗濯機１３の使用中に、使用者が表示・操作部３にあるテストボタン８を押すと、テストスイッチ２６がオン（閉成）する。テストスイッチ２６がオンすると、漏水が発生して漏水センサ部２５の等価抵抗１０２に洗濯水などの水がかかり等価抵抗１０２のインピーダンスが低下したときと同様に、インバータ２７、２９を介して漏水検出回路Ｂの出力側電圧が上昇し、そして、漏水検出回路Ｂの出力電圧が所定の電圧まで上昇すると、判定回路Ｃからの出力電圧が極短時間にて上昇し、高レベルの信号が判定回路Ｃから出力される。このため、第１のトランジスタ３４はオンし、電力供給ライン４６から第１のＬＥＤ３３に電流が流れ、第１のＬＥＤ３３が点灯し、漏水及び短絡の発生表示部５を点灯表示させる。また、第２のトランジスタ３５がオフし、電力供給ライン４６から第２のトランジスタ３５を介してリレー回路３６に流れる電流が遮断されリレー回路３６の図示しないマグネットを消磁させ、前記開閉弁（図示せず）が閉じられると共に電気洗濯機１３の電源が遮断される。
【００３０】
また、第１のナンド回路３７の出力が高レベル信号から低レベル信号に変わり、第３のトランジスタ３９はオンし電力供給ライン４６からブザー４０に電流が流れ、ブザーは鳴る。そして、使用者がブザー停止ボタン６を押すと、ブザー停止スイッチ４２がオンし、第３のナンド回路４１及び第２のナンド回路３８の出力が変化し、この結果、第１のナンド回路３７の出力も高レベル信号に変化し、第３のトランジスタ３９がオフし、ブザー４０は非通電状態になり発音を停止する。
【００３１】
また、使用者が復帰ボタン７を押すと判定回路Ｃのリセットスイッチ３２がオンし、インバータ３０の入力が低レベル信号に切り替わり、インバータ３１の出力が低レベル信号に切り替わり、この結果、第１のトランジスタ３４はオフし、第１のＬＥＤ３３は非通電になり消灯し漏水及び短絡の発生表示部５を消灯表示させ、第２のトランジスタ３５はオンし、リレー回路３６は通電され励磁され復帰し電気洗濯機１３へ電源が供給されると共に前記開閉弁（図示せず）が開くこととなる。また、第１のナンド回路３７は高レベル信号の出力を維持し、第３のトランジスタ３９が継続してオフし、ブザー４０は発音の停止を維持することとなる。
【００３２】
ここで、電気洗濯機１３の例えば、洗剤を使用した洗い運転中或いはすすぎ運転中に給水管（図示せず）或いは排水管（図示せず）の途中において漏水が発生し、漏水センサ部２５に水がかかり、その水がシート１０３に埋設された等価抵抗１０２に触れるとそのインピーダンスが低下する。このため、漏水がないときに比して等価抵抗１０２に流れる電流が増加し、この結果、信号発生回路Ａからの正負の交番電圧の振幅が変化する。正負の交番電圧は漏水検出回路ＢのコンデンサＣ３により正電圧にシフトされ、この正電圧の変化によりテストスイッチ２６を操作したときと同様に、インバータ２７、２９を介して漏水検出回路Ｂの出力側電圧が上昇する。そして、漏水検出回路Ｂの出力電圧は判定回路Ｃの積分回路２８により直流電圧に変換され、判定回路Ｃが入力する直流電圧が所定の電圧まで上昇すると、判定回路Ｃからの出力電圧が極短時間で上昇し、高レベルの信号が判定回路Ｃから出力される。
【００３３】
このため、動作表示回路Ｄの第１のトランジスタ３４はオンし、電力供給ライン４６から第１のＬＥＤ３３に電流が流れ、第１のＬＥＤ３３が点灯し、漏水及び短絡の発生表示部５が点灯表示し、漏水の発生を洗濯機の使用者に確実に且つ速やかに知らせることが可能になる。また、漏水量を極力少なく抑えることもできる。更に、第２のトランジスタ３５がオフし、電力供給ライン４６から第２のトランジスタ３５を介してリレー回路３６に流れる電流が遮断され消磁され、前記開閉弁（図示せず）が閉じられると共に電気洗濯機１３の電源が遮断される。ここで、例えば使用者が誤って極僅かの水を漏水センサ部２５にかけたのみであり、判定回路Ｃが入力する直流電圧が所定の電圧まで低下しない場合には、漏水の発生ではないと判定され、判定回路Ｃからの出力電圧は低レベルに維持され、動作表示回路Ｄなどの誤動作を回避することが可能になる。
【００３４】
また、第１のナンド回路３７の出力が高レベル信号から低レベル信号に変わり、第３のトランジスタ３９はオンして電力供給ライン４６からブザー４０に電流が流れ、ブザーは鳴る。この結果、使用者が電気洗濯機から離れていた場合にも一層確実に且つ速やかに知らせることが可能になる。
【００３５】
その後、使用者が漏水の発生を知り、ブザー停止ボタン６を押すと、ブザー停止スイッチ４２がオンし、第３のナンド回路４１及び第２のナンド回路３８の出力が変化し、この結果、第１のナンド回路３７の出力も高レベル信号に変化し、第３のトランジスタ３９がオフし、ブザー４０は非通電状態になり発音を停止する。
【００３６】
また、使用者が復帰ボタン７を押すと、判定回路Ｃのリセットスイッチ３２がオンし、インバータ３０の入力が低レベル信号に切り替わり、インバータ３１の出力が直ちに低レベル信号に切り替わり、この結果、第１のトランジスタ３４はオフし、第１のＬＥＤ３３は非通電になり消灯して漏水及び短絡の発生表示部５が消灯表示し、第２のトランジスタ３５はオンし、リレー回路３６は通電され励磁して復帰し、電気洗濯機１３へ電源が供給されると共に前記開閉弁（図示せず）が開くこととなる。この結果、直ちに電気洗濯機１３への電力供給及び洗濯用の水の供給を速やかに再開させることが可能になる。
【００３７】
なお、上記した実施形態では、漏水検知器１を電気洗濯機１３に接続したが、例えば食器洗い機、その他水などの液体を使用する機器に接続することによって同様な効果を得ることができる。
【００３８】
以上のように、本実施形態によれば、また信号発生回路Ａからの正負交番電圧の振幅を変化させると共にコンデンサにより正電圧にシフトさせる漏水検出回路Ｂと積分回路２８を備えた判定回路Ｃとの組み合わせにより、漏水の検出を確実にすると共に誤動作を回避することもできる。
【００３９】
なお、本実施形態によれば、等価抵抗１０２へ漏れた液体がかかった際には信号発生回路Ａからの前記正負交番電圧の振幅を変化させると共にコンデンサにより正電圧にシフトし出力側電圧が上昇する漏水検出回路Ｂと、この漏水検出回路Ｂからの出力電圧を入力し積分回路２８により直流電圧に変換された出力電圧の上昇に基づいて漏水を判定する判定回路Ｃとを備えたが、等価抵抗１０２へ漏れた液体がかかった際に漏水検出回路Ｂの出力側電圧を下降（低下）させ、この漏水検出回路Ｂからの出力電圧の下降（低下）に基づいて判定回路Ｃが漏水を判定するような構成にしてもよく、等価抵抗１０２へ漏れた液体がかかった際に漏水検出回路Ｂの出力側電圧が変化し、この漏水検出回路Ｂからの出力電圧の変化に基づいて判定回路Ｃが漏水を判定する構成であればよい。
【００４０】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４１】
【図１】この発明の一実施形態である漏水検知回路図である。
【図２】漏水検知器及び漏水検知器を接続した電気洗濯機の正面図である。
【図３】漏水検知器の正面図である。
【図４】漏水検知器の底面図である。
【図５】漏水検知器の概略縦断面図である。
【図６】従来の漏水検知回路図である。
【符号の説明】
【００４２】
１              漏水検知器
１３            電気洗濯機
２３            インバータ発振回路
２５            漏水センサ部
Ｃ３            コンデンサ
２８            積分回路
３３            第１のＬＥＤ
４０            ブザー
１００          漏水検知装置
１０１          テスト用抵抗
１０２          等価抵抗（漏水検知センサ）
１０３          シート
Ａ              信号発生回路
Ｂ              漏水検知回路
Ｃ              判定回路
【図１】
2006084175.tif 000003
【図２】
2006084175.tif 000004
【図３】
2006084175.tif 000005
【図４】
2006084175.tif 000006
【図５】
2006084175.tif 000007
【図６】
2006084175.tif 000008